(57)【要約】【課題】鳥の営巣を効果的に防止して点検清掃の手間を大幅に低減する。【解決手段】支柱３上に発電パネル１を支持し駆動機構４１，４２によって発電パネル１を太陽に向けて追従させるようにした追尾型太陽光発電装置において、支柱３上の駆動機構４１，４２の設置部が雨水に晒されるように、設置部上方の、左右の発電モジュール２１間に間隙ｄ２を形成する。【選択図】        図１
2015073003.tif 000002
【特許請求の範囲】
【請求項１】
支柱上に発電パネルを支持し駆動機構によって前記発電パネルを太陽に向けて追従させるようにした追尾型太陽光発電装置において、前記支柱上の前記駆動機構の設置部が雨水に晒されるように構成したことを特徴とする追尾型太陽光発電装置。
【請求項２】
前記駆動機構の設置部の上方に位置する前記発電パネルに、雨水を下方へ通過させる間隙を形成した請求項１に記載の追尾型太陽光発電装置。
【請求項３】
前記駆動機構の設置部へ雨水を導入する導水路を設けた請求項１又は２に記載の追尾型太陽光発電装置。
【発明の詳細な説明】
【技術分野】
【０００１】
本発明は追尾型太陽光発電装置に関し、特に当該装置における鳩等の鳥の巣作りを防止する構造を有する追尾型太陽光発電装置に関するものである。
【背景技術】
【０００２】
追尾型太陽光発電装置は支柱上に発電パネルを鉛直面内で傾動可能かつ水平面内で旋回可能に支持させて、駆動機構によって上記発電パネルを適宜傾動および旋回させてパネル面を太陽方向へ向けさせるものである。このような発電装置の一例は引用文献１に示されている。
【先行技術文献】
【特許文献】
【０００３】
【特許文献１】特開２０１２−２０４４７１
【発明の概要】
【発明が解決しようとする課題】
【０００４】
ところで、従来の追尾型太陽光発電装置では、支柱に支持された大型の発電パネルが屋根となって雨水を遮るとともに、駆動機構の駆動モータが発する熱によって支柱上の駆動機構設置部付近は暖められている。このため、鳩等が営巣し易く、点検清掃に多大の労力を要するという問題があった。
【０００５】
そこで本発明はこのような課題を解決するもので、鳥の営巣を効果的に防止して点検清掃の手間を大幅に低減した追尾型太陽光発電装置を提供することを目的とする。
【課題を解決するための手段】
【０００６】
上記目的を達成するために、本第１発明では、支柱（３）上に発電パネル（１）を支持し駆動機構（４１，４２）によって前記発電パネル（１）を太陽に向けて追従させるようにした追尾型太陽光発電装置において、前記支柱（３）上の前記駆動機構（４１，４２）の設置部が雨水に晒されるように構成したことを特徴とする。
【０００７】
本第１発明においては、雨天時には駆動機構の設置部が雨水に晒されて水浸し状態になるから、営巣に必要な良好な環境が得られず、鳥が巣作りするのを未然に防止することができる。
【０００８】
本第２発明では、前記駆動機構（４１，４２）の設置部の上方に位置する前記発電パネル（１）に、雨水を下方へ通過させる間隙（ｄ２）を形成する。
【０００９】
本第２発明によれば、駆動機構の設置部を簡易な構造で雨水に晒すことができる。
【００１０】
本第３発明では、前記駆動機構（４１，４２）の設置部へ雨水を導入する導水路（２２）を設ける。
【００１１】
本第３発明によれば、駆動機構の設置部の上方で発電パネルに間隙を形成するのが困難な場合にも、導水路によって上記設置部を確実に雨水に晒すことができる。
【００１２】
上記カッコ内の符号は、後述する実施形態に記載の具体的手段との対応関係を示すものである。
【発明の効果】
【００１３】
以上のように、本発明の追尾型太陽光発電装置によれば、鳥の営巣を効果的に防止することによって点検清掃の手間を大幅に低減することができる。
【図面の簡単な説明】
【００１４】
【図１】本発明の第１実施形態における追尾型太陽光発電装置の全体正面図である。
【図２】追尾型太陽光発電装置の全体平面図である。
【図３】本発明の第２実施形態における追尾型太陽光発電装置の部分拡大裏面図である。
【発明を実施するための形態】
【００１５】
なお、以下に説明する実施形態はあくまで一例であり、本発明の要旨を逸脱しない範囲で当業者が行う種々の設計的改良も本発明の範囲に含まれる。
【００１６】
（第１実施形態）
図１には本発明の追尾型太陽光発電装置（以下、単に発電装置という）の正面図を示し、図２にはその平面図を示す。
【００１７】
図１において、発電装置は正面視で横長の長方形状をした発電パネル１を備えており、発電パネル１は左右方向へ並設された３個の発電ユニット２Ａ，２Ｂ，２Ｃ から構成されている。各発電ユニット２Ａ?２Ｃは縦長の長方形をなし、互いに一定の間隙ｄ１をおいて隣接させられている。
【００１８】
各発電ユニット２Ａ?２Ｃには左右二列上下三列で６個の発電モジュール２１が配置されており、各発電モジュール２１には正方形領域の表面に５行５列で集光レンズ部２１１が形成されて、これら集光レンズ部２１１の焦点にそれぞれ発電素子（図示略）が配置されている。そして、左右の発電モジュール２１の間に一定の間隙ｄ２が形成されている。
【００１９】
発電パネル１はその背後を鉛直姿勢の支柱３によって支持されている。すなわち、支柱３の上端に水平面内で回動可能にブラケット３１（図２）が設けられ、当該ブラケット３１に、水平に左右方向へ延びる支持梁３２がその中央で固定されている。支持梁３２の両端には、鉛直面内で回動可能に補助梁３３がその中央で連結されている。そして補助梁３３の両端に発電パネル１の横梁１１が固定されている。このような構造によって、発電パネル１は鉛直面内で傾動可能かつ水平面内で旋回可能となっている。
【００２０】
支柱３の上端部には図２に示すように、駆動機構を構成する旋回用の駆動モータ４１と傾動用の駆動モータ４２が設けられており、駆動モータ４１によってブラケット３１、すなわち発電パネル１が支柱３の軸心回りに旋回させられる。また駆動モータ４２によって、発電パネル１の裏面に先端が連結された操作アーム４３が進出ないし後退させられることによって発電パネル１が支持梁３２の軸心回りに傾動させられる。
【００２１】
支柱３の上端部付近は駆動モータ４１，４２の発する熱で温まっており、鳥が巣作りをしやすい環境にある。ここにおいて本実施形態では、上述したように各発電ユニット２Ａ?２Ｃにおける左右の発電モジュール２１の間には間隙ｄ２が形成されており、中央の発電ユニット２Ｂを構成する左右の発電モジュール２１の間の間隙ｄ２が支柱３の直上に位置している。これにより、支柱３の上端部付近は上方へ開放されており、雨水が遮られることなくこの部分に降り注ぎ侵入するようになっている（図２の矢印）。
【００２２】
このような構造により、鳥が支柱３の上端部に巣を作ろうとしても、当該上端部には雨天時に雨水が容易に侵入するから、これが巣作りの妨げとなり、鳥が営巣することが無くなる。
【００２３】
（第２実施形態）
図３には本発明の他の実施形態を示す。図３は発電パネル１を裏面側から見た図で、支柱３上に水平旋回可能に支持梁３２が設けられており、第１実施形態と同様の構造で、発電パネル１が鉛直面内で傾動可能に上記支持梁３２に支持されている。本実施形態では複数の発電モジュール２１で構成された左右の発電ユニット２Ｄ，２Ｅの間の間隙ｄが支柱３の直上に位置するようにしてある。これにより、支柱３の上端部付近は上方へ開放されて、雨水が遮られることなくこの部分に降り注ぎ侵入するようになっている。
【００２４】
さらに本実施形態では、各発電モジュール２Ｄ，２Ｅからの集電ケーブル２２を、図３に示すように、発電ユニット２Ｄ，２Ｅの上縁からその側縁を経て支柱３の上端部へ引き込んでおり、雨水がこれらケーブル２２を伝って効率的に支柱３の上端部へ導入される。集電ケーブル２２を導水路として利用したことにより、支柱３の上端部がさらに確実に雨水に晒されるようになり、鳥の営巣をより効果的に防止することができる。
【００２５】
（他の実施形態）
さらに例えば発電パネルの横梁や縦梁を樋状にして導水路とし、雨水をこれらに集めて支柱３の上端部付近に導水するようにすれば、さらに効果的に鳥の営巣を防止することができる。
【符号の説明】
【００２６】
１…発電パネル、２Ａ，２Ｂ，２Ｃ…発電ユニット、２１…発電モジュール、２２…集電ケーブル（導水路）、３…支柱、４１…旋回用駆動モータ（駆動機構）、４２…傾動用駆動モータ（駆動機構）、ｄ２…間隙。
【図１】
2015073003.tif 000003
【図２】
2015073003.tif 000004
【図３】
2015073003.tif 000005